(57)【特許請求の範囲】
【請求項１】
表示部を有しその表示部上に入力用のタッチパネルを設置した平板な矩形状の表示パネルが、その表示面を上方に向け、かつ、その下辺側に位置する一方の使用者から見て、前記下辺より上辺の方が高くなるように、水平に設置された本体部上に閉じた状態で傾斜して取り付けられ、かつ前記上辺を枢支軸として、前記表示パネルの表示面が、前記一方の使用者と対向する他方の使用者に向くように前記閉じた状態から起立可能に構成され、
前記表示パネルが、水平に設置された本体部上で前記閉じた状態の第一の使用状態と、前記表示パネルが、水平に設置された本体部上で起立し、前記下辺が前記上辺より高く位置する状態の第二の使用状態と、前記表示パネルが、前記本体部上で前記閉じた状態にあり、かつこの表示パネルの前記上辺が下方に、前記下辺が上方となるように前記本体部が垂直方向に設置された壁掛け状態で、それぞれ使用される表示入力装置であって、
前記表示パネルに設けられ、前記表示パネルの、前記下辺が前記上辺より高く位置する前記第二の使用状態及び前記壁掛け状態となったことを、重力による遮蔽体の上下動により検出する使用状態センサーを有し、
この使用状態センサーが、前記第二の使用状態及び前記壁掛け状態であることを検出すると、前記表示パネルの表示部における表示データのスキャン方向を、前記第一の使用状態における通常のスキャン状態からリバーススキャン状態へ反転させるオートフリップ機構を設けると共に、
前記オートフリップ機構が、前記反転指令を出力すると、前記タッチパネルの座標原点を前記第一の使用状態における原点位置に対して前記表示部の対角位置に変更させるタッチパネルコントローラを設けた
ことを特徴とする表示入力装置。
【発明の詳細な説明】
【技術分野】
【０００１】
本発明の実施形態は、表示部上に入力用のタッチパネルを設置した表示パネルの表示部を、互いに対向する各使用者に対してそれぞれ対面可能とした表示入力装置に関する。
【背景技術】
【０００２】
一般に、店舗などにおける販売情報管理に、所謂ＰＯＳシステムが広く用いられている。このようなＰＯＳシステムにおける端末として、情報を表示し、入力するための表示入力用のパネルを、互いに対向して応対している顧客と販売員とが、相互に目視でき、かつ操作できる構造のものが用いられるようになってきた。このような端末装置として、表示パネルを支持アームにより本体部に対して回動可能に取り付け、このアームの回動により、その表示部が顧客に向いた角度と、販売員に向いた角度とにそれぞれ変化できるように構成したものがある（例えば、特許文献１参照）。
【０００３】
このような端末装置では、オペレータ（販売員）が操作する場合は、表示パネルの表示部を、オペレータに向けて操作しやすい角度に位置決めする。また、表示パネルの表示内容、例えば、商品情報などを顧客に表示する場合は、アームを回動させて、表示パネルの表示部を、対向位置にある顧客に向けるように大きくチルトできるように構成している。
【０００４】
この場合、オペレータ向けの表示と顧客向けの表示とでは、表示部自体の上下が反転するため、それに合わせ画面表示内容を上下反転させる必要がある。この表示内容の反転操作は、表示パネルの回動を検知することで、自動的に行っている。
【先行技術文献】
【特許文献】
【０００５】
【特許文献１】特開２００３−４３９７８号公報
【発明の概要】
【発明が解決しようとする課題】
【０００６】
このように、表示パネルが回動し、表示部の上下が反転した場合、画面表示内容を自動的に上下反転させているが、表示部の画面の上下が反転したことは、表示パネルが所定角度以上回動したことにより検出し、画面表示内容を上下反転させている。このため、表示パネルが反転することなく表示部の上下が反転した場合は、画面表示内容は反転せず、正常な表示を行うことができない。例えば、表示パネルを備えた端末装置の本体部は、通常水平状態に設置され、この本体部上の表示パネルは、オペレータが観やすい所定の傾斜角度に設置されるが、使用状態によっては、本体部を垂直面に設置した所謂壁掛け状態で使用することがある。
【０００７】
この壁掛け使用の場合、前述した本体部を水平に設置した通常使用の場合に対し、表示パネルの表示部は、この端末装置の使用者から見た上下位置が反転することとなる。しかし、この場合、表示パネルは回動していないので、その画面表示内容が反転することはなく、壁掛け使用の表示パネルの表示部には、通常使用時の画面表示のまま表示されるので、使用者に対して上下が逆さまの状態で表示されることとなる。すなわち、壁掛け使用においては、表示内容がオペレータに対し逆さまな表示となり、正常に表示できなかった。
【０００８】
発明が解決しようとする課題は、どのような使用状態であっても、逆さまに表示されることなく、正常な表示及び入力操作が可能な表示入力装置を提供することにある。
【課題を解決するための手段】
【０００９】
本発明の実施の形態による表示入力装置は、表示部を有しその表示部上に入力用のタッチパネルを設置した平板な矩形状の表示パネルが、その表示面を上方に向け、かつ、その下辺側に位置する一方の使用者から見て、前記下辺より上辺の方が高くなるように、水平に設置された本体部上に閉じた状態で傾斜して取り付けられ、かつ前記上辺を枢支軸として、前記表示パネルの表示面が、前記一方の使用者と対向する他方の使用者に向くように前記閉じた状態から起立可能に構成され、前記表示パネルが、水平に設置された本体部上で前記閉じた状態の第一の使用状態と、前記表示パネルが、水平に設置された本体部上で起立し、前記下辺が前記上辺より高く位置する状態の第二の使用状態と、前記表示パネルが、前記本体部上で前記閉じた状態にあり、かつこの表示パネルの前記上辺が下方に、前記下辺が上方となるように前記本体部が垂直方向に設置された壁掛け状態で、それぞれ使用される表示入力装置であって、前記表示パネルに設けられ、前記表示パネルの、前記下辺が前記上辺より高く位置する前記第二の使用状態及び前記壁掛け状態となったことを、重力による遮蔽体の上下動により検出する使用状態センサーを有し、この使用状態センサーが、前記第二の使用状態及び前記壁掛け状態であることを検出すると、前記表示パネルの表示部における表示データのスキャン方向を、前記第一の使用状態における通常のスキャン状態からリバーススキャン状態へ反転させるオートフリップ機構を設けると共に、前記オートフリップ機構が、前記反転指令を出力すると、前記タッチパネルの座標原点を前記第一の使用状態における原点位置に対して前記表示部の対角位置に変更させるタッチパネルコントローラを設けたことを特徴とする。
【図面の簡単な説明】
【００１０】
【図１】本発明の一実施の形態に係る表示入力装置の機能を表す機能ブロック図である。
【図２】本発明の一実施の形態に係る表示入力装置の通常使用状態における側面外観図である。
【図３】本発明の一実施の形態に係る表示入力装置の顧客への表示を行う使用状態を説明する側面外観図である。
【図４】本発明の一実施の形態に係る表示入力装置の壁掛け使用状態を説明する側面外観図である。
【図５】本発明の一実施の形態に係る表示入力装置の使用状態センサーの取付け状態を説明する斜視外観図である。
【図６】本発明の一実施の形態に係る表示入力装置の表示スキャン方向を示しており、（ａ）は通常スキャン状態、（ｂ）はリバーススキャン状態を示す概念図である。
【図７】本発明の一実施の形態に係る表示入力装置に用いられるタッチパネルの座標原点位置を説明する図である。
【発明を実施するための形態】
【００１１】
以下、本発明の一実施の形態について、図面を参照しながら詳細に説明する。
【００１２】
まず、図２乃至図５により、この実施の形態による表示入力装置の外観形状を説明する。この表示入力装置は、ＰＯＳ端末などに用いられるもので、後述する各種の制御機能が内蔵された本体部１１と、この本体部１１上に設置された表示パネル１２とを備えている。表示パネル１２としては、例えば、液晶表示パネルが用いられる。この表示パネル１２は矩形の表示部を有し、その上面には入力操作用のタッチパネル１３が設置されている。
【００１３】
また、この表示パネル１２は、図２で示すように、本体部１１に対して所定の傾斜角度で設置されており、かつ、水平方向（図２乃至４の紙面に直角方向）に沿う支軸１４を中心として本体部１１に対して回動可能に取り付けられている。そして、この回動により、表示パネル１２の表示部を、互いに対向している各使用者に対してそれぞれ対面させることができる。すなわち、図２はオペレータが使用する通常の使用状態（第一の使用状態）であり、図示右斜め上方に傾斜している表示パネル１２の表示部は、図２の左方に位置するオペレータ（一方の使用者）と対向している。これに対して図３で示すように、表示パネル１２を右回りに所定角度回動することにより、その表示部を図３の右方に位置する顧客（他方の使用者）と対面させた顧客表示状態（第二の使用状態）とすることができる。
【００１４】
また、この表示入力装置は、図４で示すように、本体部１１を垂直方向に設置した所謂壁掛け状態で使用することができる。この壁掛け使用の場合、表示パネル１２の表示部は、図４の左方に位置する使用者（通常はオペレータ）と対面しているが、この使用者から観た表示パネル１２の画面表示内容は、図２で示した通常時の使用状態（第一の使用状態）に対して上下が反転した、図３で示した顧客表示状態（第二の使用状態）と同じ使用状態となる。したがって、図４の壁掛け使用の場合も、表示パネル１２は第２の使用状態であるとする。
【００１５】
表示パネル１２には、図５で示すように、その裏面に使用状態センサー１５を設けている。この使用状態センサー１５は、表示パネル１２が、上述した第一の使用状態か第二の使用状態かを検出するもので、例えば、表示パネル１２の使用状態の変化に応じて重力により上下動する遮蔽体と、この遮蔽体の上下動に伴って出力を変化させるセンサー部とを有するものを用いる。すなわち、詳細構造は図示しないが、表示パネル１２が、図２で示した第一の使用状態にあるとき、重力によりセンサー機構の下部に位置していた遮蔽体が、図３又は図４で示す第二の使用状態に変化すると、重力によりセンサー機構の上部に移動し、光透過型のセンサー部を遮蔽して検出信号を出力するような構成のものを用いる。
【００１６】
つまり、使用状態センサー１５は、表示パネル１２に設けられ、この表示パネル１２が回動することにより、図２で示す通常の仕様状態である第一の使用状態から、表示部の上下が反転した図３で示す第二の使用状態へ変化したことを検出する。また、この使用状態センサー１５は、上述した表示パネル１２の回動によらずに、図４で示すように、本体部１１の設置状態により表示パネル１２が第二の使用状態になった場合でも、この第二の使用状態であることを検出することができる。
【００１７】
上述した第一の使用状態と第二の使用状態では、表示パネル１２の表示部が上下反転しているので、表示部における画面表示を上下反転させる必要がある。この画面表示の反転操作は、上述した使用状態センサー１５の検出信号に従って実行される。この反転操作を実行する構成を図１により説明する。
【００１８】
図１はこの実施の形態における表示入力装置の機能ブロック図である。図１において表示パネル１２には、前述した使用状態センサー１５、液晶などによる矩形の表示部２１、及びタッチパネル１３と一体のタッチパネルコンとローラ２２が設けられている。また、本体部１１には、オートフリップ機構２３、及び制御部２４が設けられている。
【００１９】
使用状態センサー１５は、前述のように表示パネル１２が図２で示した第一の使用状態にあるか、或いは図３及び図４で示した第二の使用状態にあるかを検出するもので、その検出信号はオートフリップ機構に２３に出力される。
【００２０】
オートフリップ機構２３は、使用状態センサー１５の検出信号に従って、表示部２１の画面表示を上下反転させる指令を出力すると共に、タッチパネルコントローラ２２に対し、タッチパネル１３の入力点を表示部２１の表示に合わせて上下反転させる指令を出力する。すなわち、オートフリップ機構２３は、使用状態センサー１５が、表示パネル１２の使用状態が第二の使用状態であることを検出すると、表示パネル１２に対して、その表示部２１における表示データのスキャン方向を、図６（ａ）で示す第一の使用状態における通常のスキャン状態から、図６（ｂ）で示すリバーススキャン状態へ反転させる反転指令を出力する。また、同時に、タッチパネルコントローラ２２に対して、タッチパネル１３の座標原点を、図７で示すように、第一の使用様態における座標原点位置１３Ａに対して、表示部２１上の対角位置１３Ｂに変更する原点位置変更指令を出力する。
【００２１】
ここで、タッチパネルの入力点を反転させる場合、従来は反転した画面表示転に合わせてタッチパネルの入力点を設定するため、反転する都度、キャリブレーションが必要であった。
【００２２】
これに対して、上述のように座標原点位置を表示部２１の対角位置１３ｂに変更することにより、キャリブレーションを行うことなくタッチパネル１３に対する入力点を反転させることができる。この座標原点位置の変更は、オートフリップ機構２３からの指令を受けて、タッチパネルコントローラ２２のファームウエアにより実行する。
【００２３】
制御部２４は表示入力装置全体を制御するものであり、表示部２１に対する画像表示処理やタッチパネルコントローラ２２から入力される、タッチパネルの入力点情報の処理などを実行する。
【００２４】
上記構成において、本実施の形態による表示入力装置を店舗などにおけるＰＯＳシステムの端末として使用する場合を説明する。このようなＰＯＳ端末としての使用形態として、ＰＯＳ端末を間にして顧客と販売員とが互いに向い合い、この端末の表示パネルを用いて商品情報などを表示し、かつ必要事項を入力することがある。このような使用形態において、オペレータ（販売員）が操作する場合は、図２で示したように、表示パネル１２の表示部が、図示左方にいるオペレータに向けて操作しやすい角度に位置決めされた通常の使用状態（第一の使用状態）となる。また、表示パネルの表示内容、例えば、商品情報などを顧客に表示する場合は、図３で示すように表示パネル１２を、その表示部が、向い合っている顧客（図３の右方）に向けるように大きくチルトさせる。顧客は表示パネル１２の表面に設置されたタッチパネル１３により商品選択などの入力操作を行う。
【００２５】
この場合、オペレータ向けの表示と顧客向けの表示とでは、表示部自体の上下が反転するため、それに合わせ画面表示内容、及びタッチパネルの入力点を上下反転させる必要がある。この表示内容の反転操作は、表示パネル１２の回動を検知することで、自動的に行う。この実施の形態では、表示パネル１２の上下が反転したことを使用状態センサー１５が検出して、その検出信号をオートフリップ機構２３に入力させる。
【００２６】
オートフリップ機構２３は使用状態センサー１５が第一の使用状態から第二の使用状態への変化を検出した場合（反転状態）、表示部２１及びタッチパネルコントローラ２２への制御信号の論理レベルを反転させる。この制御信号の変化を受け、表示部２１は表示データのスキャン方向を図６（ａ）に示す通常スキャン状態から図６（ｂ）に示すリバーススキャン状態へと反転させる。尚、このスキャン方向の変更は液晶などによる表示部２１が通常有している機能を利用し実現させる。また、タッチパネルコントローラ２２も制御信号の変化を受け、タッチパネル１３の座標原点を図７に示す通り表示部２１の対角位置に変更し、制御部２４へ通知するタッチ位置を示す座標データに反映させる。
【００２７】
したがって、オペレータと顧客との間で、表示部２１の上下が反転しても表示部２１の画面表示及びタッチパネル１３のタッチ位置をそれぞれ上下反転させることにより、オペレータと顧客との双方に対して正常な表示及び入力操作を実現することができる。
【００２８】
一方、このＰＯＳ端末としての表示入力装置を図４で示すように壁掛け状態で使用する場合、表示パネル１２は本体部１１に対してなんら回動しないが、表示パネル１２の使用状態は、図１で示した通常の使用状態（第一の使用状態）に対して上下が反転した第二の使用状態となっている。この場合、表示パネル１２自体が回動しなくても、使用状態センサー１５は、表示パネル１２が第二の使用状態になったことを検出するので、オートフリップ機構２３により表示部２１及びタッチパネルコントローラ２２への制御信号の論理レベルを反転させる。このため、表示部２１は表示データのスキャン方向を図６（ａ）に示す通常スキャン状態から図６（ｂ）に示すリバーススキャン状態へと反転させ、タッチパネルコントローラ２２は、タッチパネルの座標原点を図７に示す通り表示部２１の対角位置１３Ｂに変更し、制御部２４へ通知するタッチ位置を示す座標データに反映させる。
【００２９】
したがって、表示パネル１２を本体部１１に対して回動させることなく壁掛け使用した場合でも、表示パネル１２の上下反転を検出して、表示部２１及びタッチパネル１３を反転操作するので、画面表示イメージが反転した場合に、画面に表示されたイメージとユーザーがタッチする位極にずれが生じることを避けることができ、正常な表示入力を実現することができる。
【００３０】
なお、上記実施の形態では、オートフリップ機構２３は図１で示したように本体部１１へ内蔵しているが、表示パネル１２に内蔵される構成でもよい。
【００３１】
本発明のいくつかの実施形態を説明したが、これらの実施形態は例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これらの実施形態やその変形は、発明の範囲や要旨に含まれると共に、特許請求の範囲に記載された発明とその均等の範囲に含まれる。
【符号の説明】
【００３２】
１１…本体部
１２…表示パネル
１３…タッチパネル
１３Ａ，１３Ｂ…座標原点位置
１５…使用状態センサー
２１…表示部
２２…タッチパネルコントローラ
２３…オートフリップ機構
【図１】
0005400822.tif 000002
【図２】
0005400822.tif 000003
【図３】
0005400822.tif 000004
【図４】
0005400822.tif 000005
【図５】
0005400822.tif 000006
【図６】
0005400822.tif 000007
【図７】
0005400822.tif 000008